(57)【要約】【課題】操作釦の機能を示す識別情報の一部が表示領域からはみ出してしまうことによって操作釦の機能名等の視認性が低下することを防止することのできる操作表示装置を提供する。【解決手段】表示部の表示領域に操作釦を表示する場合に、該操作釦に割り当てられている機能を示す識別情報を第１表示態様で該操作釦の中に配置した場合に該識別情報全体が表示部の表示領域に表示される位置に該操作釦を表示するときは、該識別情報を該第１表示態様で該操作釦の中に表示し、該識別情報を該第１表示態様で該操作釦の中に配置した場合に該識別情報の一部が該表示領域からはみ出す位置に該操作釦を表示するときは、該識別情報を第１表示態様と異なる表示態様に変更して該操作釦の中に表示する。【選択図】図３
2016126672.tif 000002
【特許請求の範囲】
【請求項１】
表示部と、
前記表示部の表示領域に操作釦を表示する表示制御部と、
前記表示領域に表示された操作釦に対する操作を受け付ける操作部と、
を備え、
前記表示制御部は、操作釦に割り当てられている機能を示す識別情報を第１表示態様で前記操作釦の中に配置した場合に前記識別情報全体が前記表示領域に表示される位置に前記操作釦を表示するときは、前記識別情報を前記第１表示態様で前記操作釦の中に表示し、前記識別情報を前記第１表示態様で前記操作釦の中に配置した場合に前記識別情報の一部が前記表示領域からはみ出す位置に前記操作釦を表示するときは、前記識別情報を第１表示態様と異なる表示態様に変更して前記操作釦の中に表示する
ことを特徴とする操作表示装置。
【請求項２】
前記第１表示態様と異なる表示態様は、前記識別情報全体が前記表示領域に収まる表示態様である
ことを特徴とする請求項１に記載の操作表示装置。
【請求項３】
縮小、配列変更、配置位置変更、省略表示のうちの少なくとも１つを行うことで前記識別情報を前記第１表示態様と異なる表示態様に変更する。
ことを特徴とする請求項１または２に記載の操作表示装置。
【請求項４】
複数の操作釦がグループ化されており、
前記表示制御部は、一のグループに属する一の操作釦が前記はみ出す位置に表示され、かつ前記一の操作釦と同一グループに属する他の操作釦が前記表示領域に表示されない場合は、前記一の操作釦の前記識別情報を前記第１表示態様で表示し、一のグループに属する一の操作釦が前記はみ出す位置に表示され、かつ前記一の操作釦と同一グループに属する少なくとも１つの他の操作釦が前記表示領域に表示される場合は、前記一の操作釦の前記識別情報を前記第１表示態様と異なる表示態様に変更して表示する
ことを特徴とする請求項１乃至３のいずれか１つに記載の操作表示装置。
【請求項５】
前記表示制御部は、設定済みの設定項目に関連する操作釦が前記はみ出す位置に表示される場合は、前記関連する操作釦の前記識別情報を前記第１表示態様と異なる表示態様に変更して表示し、前記設定済みの設定項目に関連しない操作釦が前記はみ出す位置に表示される場合は、前記関連しない操作釦の前記識別情報を前記第１表示態様で表示する
ことを特徴とする請求項１乃至３のいずれか１つに記載の操作表示装置。
【請求項６】
前記表示制御部は、表示位置が移動中の操作釦に対しても前記識別情報の表示態様を変更する処理を行う
ことを特徴とする請求項１乃至５のいずれか１つに記載の操作表示装置。
【発明の詳細な説明】
【技術分野】
【０００１】
本発明は、複数の操作釦のうちの一部を表示する操作表示装置に関する。
【背景技術】
【０００２】
従来、印刷機やプリント、スキャン、コピー、ファックス機能を備える複合機などの画像形成装置では、本体に設置された操作パネル等を利用して印刷設定などの設定操作が行われる。設定操作では、操作パネル上に設置されたハードキーだけではなく、該操作パネルの表示部に表示されたソフトキーの操作釦も対象とする。
【０００３】
近年、複合機は多機能化が進んでおり、設定操作の対象となる操作釦が数多くある。ただし、操作パネル（表示部）の大きさには限度があることから、全ての操作釦を、ユーザが視認できる大きさで一度に表示することは難しい。そこで、一般的に複合機は、複数の操作釦の一部を表示し、その一部の位置を移動させることで、各操作釦を表示するとともに、表示中の操作釦への設定操作を受け付ける。一部の位置を移動させる方法として、たとえば、表示画面に収まりきらない操作釦等を上下又は左右にスライドさせて表示させる、いわゆる、スクロール表示がある。
【０００４】
そして、前述のスクロール表示を行うと、操作釦の一部分が、画面外にはみ出してしまう場合があり、これによって該操作釦の枠内に記載される、該操作釦に割り当てられている機能の識別情報（キャプションやアイコン等、以後釦識別情報と呼ぶ。）をユーザが確認できなくなってしまう場合がある。たとえば、図２１は、一部分が画面外にはみ出している状態の操作釦が表示される場合の例を示す。図２１では、表示部３１に四つの操作釦（枠内に釦識別情報として機能A、機能B、機能C、機能Dが記載されている。）が表示されている。しかし、機能Aと機能Dの操作釦については一部分が画面外にはみ出してしまっており、（図２１では、はみ出してしまっている部分はグレー表示で示す。）ユーザが該部分を視認することができない。
【０００５】
釦識別情報の一部が画面外にはみ出てしまっている場合、ユーザはその釦識別情報の内容を認識することができない場合がある。たとえば、図２１では、機能Dが表示される操作釦においては、釦識別情報における他の機能と識別する為の文字部分（図中のDの文字）が画面外にはみ出してしまっており、この状態ではユーザはそのはみ出している操作釦にどのような機能が割り当てられているのかを認識することができない。
【０００６】
通常、スクロール表示において、釦識別情報の一部が画面外にはみ出してしまった操作釦がある場合、その操作釦の枠内に記載されている釦識別情報をユーザが確認するためには、再度、スクロール操作を行い、該釦識別情報を視認可能な位置まで、表示位置を戻す必要があった。
【０００７】
下記特許文献１には、操作パネルと該操作パネルの隣に配置した携帯端末の表示内容を連携させることで、操作パネルが表示中の画面の続きを携帯端末で表示する（表示領域を拡大する）技術が開示されている。この技術では、操作パネルの表示領域から一部がはみ出してしまった操作釦のそのはみ出した部分が携帯端末に表示されるので、ユーザは、その操作釦の全体を操作パネルと携帯端末に跨る状態で視認することができる（特許文献１参照）。
【先行技術文献】
【特許文献】
【０００８】
【特許文献１】特開２０１３−８８５６０６号公報
【発明の概要】
【発明が解決しようとする課題】
【０００９】
特許文献１に記載の方法では、操作パネルの表示領域からはみ出してしまった部分を表示させるための携帯端末の用意や、該携帯端末と表示内容を連携させるための操作を必要とするので、ユーザに煩わしさを与えていた。
【００１０】
本発明は、上記の問題を解決するものであり、操作釦の機能を示す識別情報の一部が表示領域からはみ出してしまうことによって操作釦の機能名等の視認性が低下することを防止することのできる操作表示装置を提供することを目的としている。
【課題を解決するための手段】
【００１１】
かかる目的を達成するための本発明の要旨とするところは、次の各項の発明に存する。
【００１２】
［１］表示部と、
前記表示部の表示領域に操作釦を表示する表示制御部と、
前記表示領域に表示された操作釦に対する操作を受け付ける操作部と、
を備え、
前記表示制御部は、操作釦に割り当てられている機能を示す識別情報を第１表示態様で前記操作釦の中に配置した場合に前記識別情報全体が前記表示領域に表示される位置に前記操作釦を表示するときは、前記識別情報を前記第１表示態様で前記操作釦の中に表示し、前記識別情報を前記第１表示態様で前記操作釦の中に配置した場合に前記識別情報の一部が前記表示領域からはみ出す位置に前記操作釦を表示するときは、前記識別情報を第１表示態様と異なる表示態様に変更して前記操作釦の中に表示する
ことを特徴とする操作表示装置。
【００１３】
上記発明では。操作釦を表示部の表示領域に表示する場合に、該操作釦に割り当てられている機能を示す識別情報を第１表示態様で該操作釦の中に配置した場合に該識別情報全体が該表示領域に表示される位置に該操作釦を表示するときは、該識別情報を該第１表示態様で該操作釦の中に表示し、該識別情報を該第１表示態様で該操作釦の中に配置した場合に該識別情報の一部が該表示領域からはみ出す位置に該操作釦を表示するときは、該識別情報を第１表示態様と異なる表示態様に変更して該操作釦の中に表示する。
【００１４】
たとえば、スクロール表示を行った場合や、表示部に表示中の表示内容を拡大表示、もしくは縮小表示した場合に、該操作釦の中に第１表示態様で配置された該操作釦の機能を示す文字列の一部は表示領域からはみ出すことがあり、そのような場合に、該文字列の表示形態を、たとえば、視認性が向上するように、変更する。
【００１５】
［２］前記第１表示態様と異なる表示態様は、前記識別情報全体が前記表示領域に収まる表示態様である
ことを特徴とする［１］に記載の操作表示装置。
【００１６】
上記発明では、第１表示態様のままでは操作釦の機能の識別情報が表示部の表示領域からはみ出す場合に、該識別情報全体が表示領域に収まるように識別情報の表示形態が変更される。
【００１７】
［３］縮小、配列変更、配置位置変更、省略表示のうちの少なくとも１つを行うことで前記識別情報を前記第１表示態様と異なる表示態様に変更する
ことを特徴とする［１］または［２］に記載の操作表示装置。
【００１８】
上記発明では、縮小、配列変更（縦書き／横書き等）、配置位置変更、省略表示のうちの少なくとも１つを行うことで、操作釦に割り当てられている機能を示す識別情報を第１表示態様と異なる表示態様に変更する。
【００１９】
［４］複数の操作釦がグループ化されており、
前記表示制御部は、一のグループに属する一の操作釦が前記はみ出す位置に表示され、かつ前記一の操作釦と同一グループに属する他の操作釦が前記表示領域に表示されない場合は、前記一の操作釦の前記識別情報を前記第１表示態様で表示し、一のグループに属する一の操作釦が前記はみ出す位置に表示され、かつ前記一の操作釦と同一グループに属する少なくとも１つの他の操作釦が前記表示領域に表示される場合は、前記一の操作釦の前記識別情報を前記第１表示態様と異なる表示態様に変更して表示する
ことを特徴とする［１］乃至［３］のいずれか１つに記載の操作表示装置。
【００２０】
上記発明では、一のグループに属する一の操作釦が、前述のはみ出す位置に表示され、かつ該一の操作釦と同一グループに属する他の操作釦が表示部の表示領域に表示されない場合は、該一の操作釦の識別情報を第１表示態様で表示し、一のグループに属する一の操作釦が前述のはみ出す位置に表示され、かつ該一の操作釦と同一グループに属する少なくとも１つの他の操作釦が表示部の表示領域に表示される場合は、該一の操作釦の識別情報を第１表示態様と異なる表示態様に変更して表示する。すなわち、表示領域内に同グループの操作釦が無い場合は、前述のはみ出す位置の操作釦の識別情報は第１表示態様で表示され、表示領域内に同じグループの操作釦がある場合は、前述のはみ出す位置の操作釦の識別情報は第１表示態様と異なる表示態様で表示される。よって、前述のはみ出す位置の操作釦が、表示領域内の他の操作釦と同じグループに属しているか否かをユーザが認識することができる。
【００２１】
［５］前記表示制御部は、設定済みの設定項目に関連する操作釦が前記はみ出す位置に表示される場合は、前記関連する操作釦の前記識別情報を前記第１表示態様と異なる表示態様に変更して表示し、前記設定済みの設定項目に関連しない操作釦が前記はみ出す位置に表示される場合は、前記関連しない操作釦の前記識別情報を前記第１表示態様で表示する
ことを特徴とする［１］乃至［３］のいずれか１つに記載の操作表示装置。
【００２２】
上記発明では、設定済みの設定項目に関連する操作釦が前述のはみ出す位置に表示される場合は、該関連する操作釦の識別情報を第１表示態様と異なる表示態様に変更して表示し、設定済みの設定項目に関連しない操作釦が前述のはみ出す位置に表示される場合は、該関連しない操作釦の識別情報を第１表示態様で表示する。これにより、前述のはみ出す位置の操作釦の識別情報の表示態様が第１表示態様であるか否かによって、該操作釦が、設定済みの設定項目に関連するか否かをユーザが認識することができる。
【００２３】
［６］前記表示制御部は、表示位置が移動中の操作釦に対しても前記識別情報の表示態様を変更する処理を行う
ことを特徴とする［１］乃至［５］のいずれか１つに記載の操作表示装置。
【００２４】
上記発明では、たとえば、スクロール表示を行う場合に、そのスクロールの実行中であっても、操作釦の識別情報の表示態様を変更する処理を行う。
【発明の効果】
【００２５】
本発明に係る操作表示装置によれば、操作釦の機能を示す識別情報の一部が表示領域からはみ出してしまうことによって操作釦の機能名等の視認性が低下することを防止することができる。
【図面の簡単な説明】
【００２６】
【図１】本発明の実施の形態に係る画像形成装置と、その操作パネルを示す説明図である。
【図２】操作パネルが帯状に長い帯画面の一部を表示する様子を示す説明図である。
【図３】変更表示態様で釦識別情報を表示する操作釦を含む画面の一例を示す図である。
【図４】本発明の実施の形態に係る画像形成装置の概略構成を示すブロック図である。
【図５】表示部の表示領域を座標で表す場合において、該表示領域と操作釦と第１の表示態様で表示する釦識別情報の位置関係を示す図である。
【図６】表示部の表示領域を座標で表す場合において、該表示領域と操作釦と変更表示態様で表示する釦識別情報の位置関係を示す図である。
【図７】スクロール表示を開始する場合における表示内容の例を示す図である。
【図８】図７より後の時点であって、スクロール中における表示内容の例を示す図である。
【図９】図８より後の時点であって、スクロール中における表示内容の例を示す図である。
【図１０】図９より後の時点であって、スクロール中における表示内容の例を示す図である。
【図１１】スクロールが完了した場合における表示内容の例を示す図である。
【図１２】複数の操作釦で構成されるグループの例を示す図である。
【図１３】第２の実施の形態の方法で表示態様の変更を行った場合に表示部に表示される表示内容の例を示す図である。
【図１４】第３の実施の形態において、Ｅメールの設定項目が設定済みの場合に表示部に表示される表示内容の例を示す図である。
【図１５】第３の実施の形態において、ＦＡＸの設定項目が設定済みの場合に表示部に表示される表示内容の例を示す図である。
【図１６】ジョブ機能テーブルを示す図である。
【図１７】画像形成装置が行う処理を示す流れ図である。
【図１８】図１７の処理の続きを示す流れ図である。
【図１９】図１８の処理の続きを示す流れ図である。
【図２０】表示内容を拡大表示、および縮小表示した場合の表示内容の例を示す図である。
【図２１】操作釦に割り当てられた機能を示す識別情報の一部が画面外にはみ出す場合の例を示す図である。
【発明を実施するための形態】
【００２７】
以下、図面に基づき本発明の実施の形態を説明する。
【００２８】
＜第１の実施の形態＞
図１は、本発明の実施の形態に係る操作表示装置としての機能を備えた画像形成装置１０を示す。
【００２９】
画像形成装置１０は、原稿を光学的に読み取ってその複製画像を記録紙に印刷するコピージョブ、読み取った原稿の画像データをファイルにして保存したり外部装置へ送信したりするスキャンジョブ、外部の装置から送出されたデータに係る画像を記録紙に印刷して出力するプリントジョブ（印刷ジョブ）などのジョブを実行する機能を備えた、所謂、複合機である。画像形成装置１０は、表示部３１と操作部３２を含む操作パネル３０を備え、この操作パネル３０を通じて、ユーザから各種の設定やジョブの投入に係る設定操作を受け付ける（図４参照）。
【００３０】
操作パネル３０は、ユーザから各種の設定操作を受ける際に、当該設定操作の対象となる操作釦を表示する。ただし、設定操作の対象となる操作釦は複数あり、全ての操作釦をユーザが視認できる大きさで一度に表示部３１に表示することは難しい。そこで、操作パネル３０は、複数の操作釦の一部を表示し、その一部の位置を移動させることで、各操作釦を表示するとともに、表示中の操作釦への設定操作を受け付ける。なお、各操作釦には、枠内に、その操作釦に割り当てられた機能の内容を示す識別情報（キャプションやアイコン等、以後、釦識別情報と呼ぶ。）が記載されており、ユーザはこの釦識別情報を確認して、所望する機能が割り当てられた操作釦に対して設定操作を行う。
【００３１】
なお、本発明の実施の形態では、複数の操作釦は、予め並び順が規定されており、前述の一部の位置を移動させる方法としては、表示部３１に収まりきらない操作釦を上下、または左右にスライドさせて表示させる、いわゆる、スクロール表示が採用されている。たとえば、操作パネル３０は、図２に示すような横方向に長い帯状の帯画面８０に、複数の操作釦８１を配置して、当該帯画面８０の一部を表示する。そして、その一部の位置を左右に移動させることで、各操作釦８１を表示部３１に表示するとともに、表示中の操作釦８１への設定操作を受け付ける。
【００３２】
スクロール表示を行うと、スクロールの実行中や、スクロールの終了時に、操作釦８１が、表示部３１の表示領域からはみ出してしまい、該操作釦８１の枠内に記載されている釦識別情報をユーザが視認することができない状態になる場合がある（図２、図２１参照）。
【００３３】
本発明の実施の形態では、画像形成装置１０は、操作釦８１に割り当てられている機能を示す釦識別情報を第１表示態様（通常の表示態様）で操作釦８１の中に配置した場合に該釦識別情報全体が表示部３１の表示領域に表示される位置に該操作釦８１を表示するときは、釦識別情報を第１の表示態様でその操作釦の中に表示し、釦識別情報を第１の表示態様で操作釦８１の中に配置した場合に該釦識別情報の一部が表示部３１の表示領域からはみ出す位置に該操作釦８１を表示するときは、該釦識別情報を第１の表示態様と異なる表示態様（変更表示態様とする）に変更して該操作釦８１の中に表示する。
【００３４】
たとえば、図３は、第１の表示態様で釦識別情報を表示する操作釦８１と、第１の表示態様と異なる表示態様（変更表示態様とする）で釦識別情報を表示する操作釦８１を表示する場合の画面の一例を示す。図３では、表示部３１に４つの操作釦８１（それぞれ機能Ａ、機能Ｂ、機能Ｃ、機能Ｄの釦識別情報が記載されている。）が表示されている。
【００３５】
図中では、機能Ａが記載されている操作釦８１を操作釦８１Ａ、機能Ｂが記載されている操作釦８１を操作釦８１Ｂ、機能Ｃが記載されている操作釦８１を操作釦８１Ｃ、機能Ｄが記載されている操作釦８１を操作釦８１Ｄとする。
【００３６】
操作釦８１Ｂと操作釦８１Ｃは、全体が表示部３１の表示領域内に表示されており、釦識別情報は第１の表示態様（中央寄せ、横書き）で表示されている。操作釦８１Ａと操作釦８１Ｄは、釦の一部が表示部３１の表示領域外にはみ出しており、各々の釦識別情報を操作釦８１Ｂ、操作釦８１Ｃと同じく第１の表示態様で表示した場合には、その釦識別情報の一部が表示部３１の表示領域外にはみ出してしまう。
【００３７】
そこで、図３では、操作釦８１Ａと操作釦８１Ｄの釦識別情報を第１の表示態様と異なる表示態様（変更表示態様）で、具体的には該釦識別情報の全体が表示部３１の表示領域内に収まる表示態様で（操作釦８１内かつ表示領域内の範囲に寄せる、縦書き）表示している。これにより、操作釦８１Ａや操作釦８１Ｄのように、操作釦８１の一部が表示部３１の表示領域外にはみ出していても、該操作釦８１の釦識別情報については全体を視認することができる。
【００３８】
図４は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、操作パネル３０とを備えている。
【００３９】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００４０】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００４１】
ＲＡＭ１３は、ＣＰＵ１１がプログラムに基づいて処理を実行する際に各種のデータを一時的に格納するワークメモリや画像データを格納する画像メモリなどとして使用される。
【００４２】
不揮発メモリ１４は、電源をオフにしても記憶内容が破壊されないメモリ（フラッシュメモリ）であり、各種設定情報の保存などに使用される。
【００４３】
ハードディスク装置１５は、大容量の不揮発の記憶装置であり、ＯＳプログラムや各種アプリケーションプログラム、ユーザ情報、印刷データや画像データ、ジョブ履歴、操作釦８１のグループなどが記憶部３５に保存される。また、本発明の実施の形態では、ハードディスク装置１５に、ジョブの種類ごとに関連する機能を示すジョブ機能テーブル９０が保存されている。
【００４４】
画像処理部１６は、画像の拡大縮小、回転などの処理のほか、印刷データをイメージデータに変換するラスタライズ処理、画像データの圧縮、伸張処理などを行う。
【００４５】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４６】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００４７】
ファクシミリ通信部１９は、ファクシミリ機能を備えた外部装置と公衆回線を通じて画像データを送受信する機能を果たす。
【００４８】
ネットワーク通信部２０は、ＬＡＮなどのネットワークを通じて外部の装置との間でデータを通信する機能を果たす。
【００４９】
操作パネル３０は、表示部３１と、操作部３２とを備えている。操作部３２は、スタートボタンや戻る釦などのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００５０】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。
【００５１】
次に、釦識別情報を第１の表示態様で表示した場合に、該釦識別情報が表示部３１の表示領域外にはみ出すか否かを判定する方法、および変更表示態様における表示態様の例について説明する。
【００５２】
図５、図６は、操作釦８１の右側が表示部３１の表示領域外にはみ出している状態において、第１の表示態様と変更表示態様で釦識別情報を表示した場合を示す。
【００５３】
図５は、第１の表示態様で釦識別情報を表示している場合を示す。本発明の実施の形態では、釦識別情報を取り囲みかつ対辺がそれぞれ表示部３１の表示領域の対辺と並行になる四角形の表示範囲８２が、表示部３１の表示領域をはみ出しているか否かをＣＰＵ１１が判定する。
【００５４】
まず、表示領域の左上端を（０、０）、右下端を（Ｐ１、Ｐ２）とした場合に、表示範囲８２の左上と右下の対角の座標を取得する。第１の表示態様での表示範囲８２の対角の座標は、左上の座標を（Ｘ１、Ｙ１）、右下の座標を（Ｘ２、Ｙ２）とする。そしてこの取得した対角の座標から、表示範囲８２の範囲を特定し、その範囲が表示部３１の表示領域をはみ出しているか否かを判定する。本発明の実施の形態では、表示領域に対して左右方向にしかスクロールを行わないため、釦識別情報は左右方向にしかはみ出さない。よって（０≦Ｘ１≦Ｐ、Ｐ＜Ｘ２）もしくは（Ｘ１＜０かつ０≦Ｘ２≦Ｐ）の場合は、釦識別情報が表示領域外にはみ出していると判断する。
【００５５】
図６は、変更表示態様で釦識別情報を表示している場合を示す。本発明の実施の形態における変更表示態様では、表示範囲８２が、表示部３１の表示領域内に収まるようにする。具体的には、表示範囲８２の対角の座標を、左上の座標を（Ｘ１Ａ、Ｙ１Ａ）、右下の座標を（Ｘ２Ａ、Ｙ２Ａ）とした場合に、双方の座標が、該釦識別情報が記載される操作釦８１内であって、かつ（０≦Ｘ１Ａ≦Ｐ、０≦Ｘ２Ａ≦Ｐ、０≦Ｙ１Ａ≦Ｐ１、０≦Ｙ２Ａ≦Ｐ１）となるように釦識別情報の表示態様を変更する。
【００５６】
釦識別情報の表示態様を変更する方法としては、たとえば、縮小、配列変更、配置位置変更、省略表示のうちの少なくとも１つの方法を採用する。
【００５７】
たとえば、前述の縮小では、文字やアイコンなどのサイズを小さくする。配列変更では、横書きから縦書きへの変更や、文字の改行位置の変更、文字の間隔詰めなどが行われる。配置位置変更では、中央寄せから、左寄せ、もしくは右寄せなどへの変更が行われる。省略表示では、釦識別情報を他の機能との識別に最低限必要な文字のみに省略する。たとえば、機能Ｄのうち「Ｄ」の文字のみに省略したりする。
【００５８】
表示態様の変更は、スクロールが停止した際のみ行ってもよいし、スクロール中に常時行ってもよい。スクロール中においてはスクロール速度が一定以下の場合のみ行ってもよい。
【００５９】
図７〜図１１は、スクロール中に表示態様の変更を行う場合において、釦識別情報の表示態様が変化する様子を示す。図７〜図１１では、表示部３１が表示中の画面の外側（画面外）に位置する操作釦８１（もしくは操作釦８１の一部）は破線で表示する。
【００６０】
図７（１）は、スクロールを開始する前の状態を示す。ここでは４つの操作釦８１（左から順に操作釦８１Ｚ、操作釦８１Ａ、操作釦８１Ｂ、操作釦８１Ｃ、操作釦８１Ｄ）が表示されている。操作釦８１Ｚには機能Ｚの釦識別情報が、操作釦８１Ａには機能Ａの釦識別情報が、操作釦８１Ｂには機能Ｂの釦識別情報が、操作釦８１Ｃには機能Ｃの釦識別情報が第１の表示態様で記載されている。なお、画面外において、操作釦８１Ｃの右隣の部分には機能Ｄの釦識別情報が記載された操作釦８１Ｄが控えている。
【００６１】
図７（２）は右から左方向へのスクロールが開始された場合の様子を示す。操作釦８１Ｚの一部は画面外（画面の左側）にはみ出している。ただし、機能Ｚの釦識別情報はまだ全体が画面内に表示されているので、第１の表示態様のまま表示される。
【００６２】
図８（３）は、図７（２）の状態からさらにスクロールが進んだ場合の様子を示す。図８（３）では、機能Ｚの釦識別情報を第１の表示態様で表示すると一部が画面外にはみ出してしまうので、表示態様を変更表示態様に変更して表示している。また、操作釦８１Ｄの一部が新たに画面内に表示される。この時点では、機能Ｄの釦識別情報を第１の表示態様で表示した場合に、釦識別情報の全体が画面外に位置するので、釦識別情報の表示態様を変更しない。すなわち、機能Ｄの釦識別情報は第１の表示態様のままである。
【００６３】
図８（４）は、図８（３）の状態からさらにスクロールが進んだ場合の様子を示す。図８（４）では、機能Ｚの釦識別情報は図８（３）と同様の表示態様（変更表示態様）で表示されている。また、機能Ｄの釦識別情報を第１の表示態様で表示すると一部が画面外にはみ出してしまうので、表示態様を変更表示態様に変更して表示している。なお図８（４）では、操作釦８１Ｚより操作釦８１Ｄの方が画面内に表示されている範囲が狭く、機能Ｄの釦識別情報は、機能Ｚの釦識別情報よりも小さいサイズで表示されている。
【００６４】
図９（５）は、図８（４）の状態からさらにスクロールが進んだ場合の様子を示す。図９（５）では、機能Ｚの釦識別情報は図８（４）と同様の表示態様（変更表示態様）で表示されている。また、機能Ｄの釦識別情報は変更表示態様のまま表示されているが、操作釦８１Ｄの画面内に表示されている範囲が広くなったことで、図８（４）の時点よりも大きいサイズで表示されている。
【００６５】
図９（６）は、図９（５）の状態からさらにスクロールが進んだ場合の様子を示す。図９（６）では、機能Ｚの釦識別情報の表示態様は変更表示態様のままであるが、操作釦８１Ｚの画面内に表示されている範囲が小さくなったので、該範囲に合わせて縮小して表示されている。機能Ｄの釦識別情報は図９（５）と同様の表示態様（変更表示態様）で表示されている。
【００６６】
図１０（７）は、図９（６）の状態からさらにスクロールが進んだ場合の様子を示す。図１０（７）では、機能Ｚの釦識別情報を第１の表示態様で表示した場合に、釦識別情報の全体が画面外に位置する。よって機能Ｚの釦識別情報の表示態様を第１の表示態様に戻す。すなわち機能Ｚの釦識別情報は表示されない。機能Ｄの釦識別情報は図９（６）と同様の表示態様（変更表示態様）で表示されている。
【００６７】
図１０（８）は、図１０（７）の状態からさらにスクロールが進んだ場合の様子を示す。図１０（８）では、操作釦８１Ｚの一部が表示されているが図１０（７）と同様に機能Ｚの釦識別情報は表示されていない。また、操作釦８１Ｄの画面内に表示されている範囲が広くなり、機能Ｄの釦識別情報を第１の表示態様で表示した場合でも、その全体が画面内に表示可能となるので、機能Ｄの釦識別情報の表示態様を第１の表示態様に戻して表示する。
【００６８】
図１１（９）は、図１０（８）の状態からさらにスクロールが進んだ場合の様子を示す。図１１（９）では、操作釦８１Ｚの全体が画面外に位置している。また、操作釦８１Ｄの全体が画面内に表示されている。機能Ｄの釦識別情報は、第１の表示態様のまま表示されている。
【００６９】
このように、スクロール中も表示態様の変更を行う場合、各時点での操作釦８１の画面内に表示されている範囲に応じて、その都度、釦識別情報のサイズを最適化し、釦識別情報の全体が画面内に表示されるようにする。なお、サイズ変更のみではなく、配列変更、配置位置変更、省略表示などを併せて前述の最適化を行ってもよい。
【００７０】
＜第２の実施の形態＞
第１の実施の形態では、全ての操作釦８１において、釦識別情報を第１の表示態様で表示したら、該釦識別情報の一部が表示部３１の表示領域外にはみ出てしまう場合に、該釦識別情報の表示態様を、変更表示態様に変更して表示していたが、第２の実施の形態では、複数の操作釦８１がグループ化されており、一のグループに属する一の操作釦８１が前述した釦識別情報がはみ出す位置に表示され、かつ該一の操作釦８１と同一グループに属する他の操作釦８１が表示部３１の表示領域に表示されない場合は、該一の操作釦８１の釦識別情報を第１の表示態様で表示する。そして、一のグループに属する一の操作釦８１が前述した釦識別情報がはみ出す位置に表示され、かつ該一の操作釦８１と同一グループに属する少なくとも１つの他の操作釦８１が表示部３１の表示領域に表示される場合は、該一の操作釦８１の釦識別情報の表示態様を変更表示態様に変更して表示する。
【００７１】
なお、第２の実施の形態においても画像形成装置１０のハード構成は第１の実施の形態と同じである。また、第２の実施の形態では、第１の実施の形態との相違点を説明し、同一部分の説明は適宜省略する。
【００７２】
図１２は、操作釦８１のグループについての例と、表示態様を変更する前の状態の画面の例を示す。図１２では、表示部３１に「レイアウト」と「スタンプ/ページ」の二つのグループのうちのいずれかに属する操作釦８１が表示されている。
【００７３】
具体的には、図１２では、操作釦８１Ｅ、操作釦８１Ｆ、操作釦８１Ｇ、操作釦８１Ｈ、操作釦８１Ｉの５つの操作釦８１が表示されている。操作釦８１Ｅにはとじしろの釦識別情報が、操作釦８１Ｆには日付/時刻の釦識別情報が、操作釦８１Ｇにはページ番号の釦識別情報が、操作釦８１Ｈにはウォーターマークの釦識別情報が、操作釦８１Ｉにはスタンプの釦識別情報が記載されている。そして、とじしろとスタンプの釦識別情報は、第１の表示態様で表示した場合に釦識別情報の一部が表示部３１の表示領域外にはみ出す状態になっている。
【００７４】
図１２では、操作釦８１Ｅは、画面外であって画面から左方向の部分に位置する操作釦８１Ｊ（Ｎin１の釦識別情報が記載されている）とともに「レイアウト」のグループに属しており、操作釦８１Ｆ、操作釦８１Ｇ、操作釦８１Ｈ、操作釦８１Ｉは「スタンプ/ページ」のグループに属している。なお、本発明の実施の形態では、一のグループを構成する操作釦８１は隣り合っているものとし、図中ではグループごとに破線で囲って表示する。
【００７５】
図１３は、第２の実施の形態における方法で、図１２で表示されている画面内の釦識別情報の表示形態を変更した場合の例を示す。とじしろの釦識別情報は、操作釦８１Ｅと同じグループの他の操作釦８１が表示部３１の表示領域内に表示されていないので、表示態様を変更せず、第１の表示態様のまま表示する。スタンプの釦識別情報は、操作釦８１Ｉと同じグループの他の操作釦８１である操作釦８１Ｆ、操作釦８１Ｇ、操作釦８１Ｈが表示部３１に表示されているので、表示態様を変更表示態様に変更して表示する。これによりユーザはスタンプの釦識別情報の全体を視認することができる。
【００７６】
このように一の操作釦８１の釦識別情報の一部が第１の表示態様で表示したら画面外にはみ出す場合に、該一の操作釦８１と同グループの他の操作釦８１が表示部３１に表示されていれば、該釦識別情報を第１の表示態様と異なる変更表示態様に変更して表示し、該一の操作釦８１と同グループの他の操作釦８１が表示部３１に表示されていなければ、該釦識別情報を第１の表示態様のまま変更せずに、はみ出す状態で表示する。これにより、画面の端に一部が欠けた状態で表示されている操作釦が、画面内に全体が表示されているその隣の操作釦と同じグループに属する操作釦か否かを、釦識別情報の表示態様の違いから認識することができる。
【００７７】
＜第３の実施の形態＞
第１の実施の形態では、全ての操作釦８１において、釦識別情報を第１の表示態様で表示したら、該釦識別情報の一部が表示部３１の表示領域外にはみ出てしまう場合に、該釦識別情報の表示態様を、変更表示態様に変更して表示していたが、第３の実施の形態では、設定済みの設定項目に関連する操作釦８１が前述の釦識別情報がはみ出す位置に表示される場合は、その関連する操作釦８１の釦識別情報を第１の表示態様と異なる表示態様に変更して表示する。また、設定済みの設定項目に関連しない操作釦８１が前述の釦識別情報がはみ出す位置に表示される場合は、その関連しない操作釦８１の釦識別情報を第１の表示態様で表示する。
【００７８】
なお、第３の実施の形態においても画像形成装置１０のハード構成は第１、第２の実施の形態と同じである。また、第３の実施の形態では、第１、第２の実施の形態との相違点を説明し、同一部分の説明は適宜省略する。
【００７９】
図１４は、第３の実施の形態の方法で表示態様を変更した釦識別情報が記載されている操作釦８１が表示される表示内容の例を示す。図１４では、表示部３１に操作釦８１Ｋ、操作釦８１Ｌ、操作釦８１Ｍ、操作釦８１Ｎ、操作釦８１Ｐの５つの操作釦８１が表示されている。操作釦８１Ｋには片面/両面の釦識別情報が、操作釦８１Ｌには読込解像度の釦識別情報が、操作釦８１Ｍにはファイル形式の釦識別情報が、操作釦８１Ｎには文書名の釦識別情報が、操作釦８１Ｐには回線設定の釦識別情報が記載されている。図１４では、片面/両面と回線設定の釦識別情報は、第１の表示態様で表示した場合に釦識別情報の一部が表示部３１の表示領域外にはみ出す状態になっている。
【００８０】
図１４では、画面外にある操作釦８１Ｒが設定された状態（選択状態）となっており、操作釦８１ＲはＥメールの機能が割り当てられている設定項目である。
【００８１】
操作釦８１Ｋ、操作釦８１Ｌ、操作釦８１Ｍ、操作釦８１Ｎは、Ｅメールの設定項目に関連する操作釦８１である。図中では、Ｅメールの設定項目に関連する操作釦８１で構成される釦群を破線で囲って示す。よって、図１４では、片面/両面の釦識別情報は、表示態様を変更表示態様に変更して表示している。これにより、ユーザは、片面/両面の釦識別情報の全体を視認することができる。操作釦８１Ｐは、Ｅメールの設定項目に関連する操作釦８１ではないので、回線設定の釦識別情報の表示態様は第１の表示態様のまま表示する。
【００８２】
図１５は、Ｅメール以外の設定項目が設定されている状態で、図１４と同じ画面位置を表示した場合の表示内容を示す。図１５では、画面外にある操作釦８１Ｓが設定された状態（選択状態）となっており、操作釦８１ＳはＦＡＸ（facsimile）の機能が割り当てられている設定項目である。図１４と同じ画面位置が表示されているので、図１５でも片面/両面と回線設定の釦識別情報は、第１の表示態様で表示した場合に釦識別情報の一部が表示部３１の表示領域外にはみ出す状態になっている。
【００８３】
操作釦８１Ｋ、操作釦８１Ｌ、操作釦８１Ｐおよび画面外であって、操作釦８１Ｐの右側に位置するポーリング送信の釦識別情報が記載されている操作釦８１ＱはＦＡＸの設定項目に関連する操作釦８１である。図中では、ＦＡＸの設定項目に関連するグループの操作釦８１で構成される釦群を破線で囲って示す。よって、図１５では、片面/両面および回線設定の双方の釦識別情報について、表示態様を変更表示態様に変更して表示している。これにより、ユーザは、片面/両面および回線設定の釦識別情報の全体を視認することができる。
【００８４】
各設定項目にいずれの操作釦８１が関連するかは、ハードディスク装置１５内のジョブ機能テーブル９０に登録されている。図１６は、ジョブ機能テーブル９０を示す。図１６では、設定項目（ジョブ種別）としてＦＴＰ（File Transfer Protocol）コマンドによるファイル転送、Ｅメール、ＦＡＸが登録されている。
【００８５】
ＦＴＰコマンドによるファイル転送と、Ｅメールには片面/両面、読込解像度、ファイル形式、文書名が関連付けされている。ＦＡＸには片面/両面、読込解像度、回線設定、ポーリング送信が関連付けされている。ＣＰＵ１１は、釦識別情報を第１の表示態様で表示したら該釦識別情報の一部が表示部３１の表示領域外にはみ出す操作釦８１がある場合に、その操作釦８１が設定済みの設定項目に関連する操作釦８１か否かを、ジョブ機能テーブル９０を参照して判断する。
【００８６】
このように、釦識別情報がはみ出す位置に表示された操作釦８１が、設定済みの設定項目と関連する場合は、該釦識別情報の表示態様は変更表示態様に変更される。そして、関連しない場合は、該釦識別情報の表示態様は変更されない。よって、はみ出す位置に表示された操作釦８１が設定済の設定項目に関連する操作釦８１か否かを、表示態様の違いから容易に判断することができる。
【００８７】
次に、画像形成装置１０が行う処理について説明する。図１７〜図１９は、画像形成装置１０が行う処理を示すフローチャートである。画像形成装置１０は、ＣＰＵ１１が、ＲＯＭ１２又はハードディスク１５の記憶部３５に記憶されたプログラムを実行することにより、図１７〜図１９のフローチャートに示す処理を実現する。
【００８８】
なお、図１７〜図１９の説明では、画像形成装置１０は、表示部３１に表示する表示内容を制御するための表示制御モードとしてグループモード、および設定関連モードを備えているものとし、双方のモードの有効/無効を予めユーザから選択操作を受けて、設定されているものとする。画像形成装置１０は、グループモードが有効な場合に第２の実施の形態での方法で表示態様の変更を行い、設定関連モードが有効な場合に第３の実施の形態での方法で表示態様の変更を行う。
【００８９】
まず、画像形成装置１０は、ユーザから表示部３１に表示されている複数の操作釦８１に対するスクロール操作を受け付けるのを待ち（図１７、ステップＳ００１；Ｎｏ）、スクロール操作を受け付けたら（ステップＳ００１；Ｙｅｓ）、表示部３１に表示されている操作釦８１を列挙する（ステップＳ００２）。ここで列挙された操作釦８１の数をＮＭＡＸとする。
【００９０】
以後、図１７のステップＳ００３から図１９のステップＳ０２２までの処理(表示判断処理と呼ぶ。)は、特定の条件を満たす場合に繰り返す。ステップＳ００３では、本処理を開始してから表示判断処理を繰り返した回数をiとし、初回の処理はi＝０として処理を開始する。特定の条件とは、i＜ＮＭＡＸが成立することであり、ステップＳ００３ではこの特定の条件が成立するか否かを判断する。
【００９１】
ステップＳ００３にて、特定の条件（i＜ＮＭＡＸ）が成立する場合、まず、表示部３１に表示中の操作釦８１のうちのいずれか一つについて、釦識別情報の表示範囲８２の対角の座標（Ｘ１、Ｙ１）（Ｘ２、Ｙ２）を取得する（ステップＳ００４）。本発明の実施の形態では、表示部３１に表示中の複数の操作釦８１について、表示されている位置に基づいて左側から順に１、２、３……ＮＭＡＸの番号を割り当て、i+１の番号の操作釦８１を対象に表示範囲８２の対角の座標を取得するものとする。
【００９２】
取得した座標の値においてＸ１＜０が成立する場合は（ステップＳ００５；Ｙｅｓ）、ステップＳ００７にて左フラグをオンにしてステップＳ００９に進む。Ｘ１＜０が成立しない場合は（ステップＳ００５；Ｎｏ）、Ｘ２＞Ｐが成立するか否かを調べる（ステップＳ００６）。
【００９３】
Ｘ２＞Ｐが成立する場合は（ステップＳ００６；Ｙｅｓ）ステップＳ００８にて左フラグをオフにしてステップＳ００９に進む。Ｘ２＞Ｐが成立しない場合は（ステップＳ００６；Ｎｏ）、図１９のステップＳ０２２に進む。
【００９４】
ステップＳ００９では、表示態様変更フラグをオンにして、図１８のステップＳ０１０に進む。図１７のステップＳ００４からステップＳＳ００９では、ステップＳ００４で対象とした操作釦８１の釦識別情報が、表示部３１の表示領域外にはみ出しているか否かを調べていたが、図１８では、該操作釦８１が第２の実施の形態の方法にて、釦識別情報の表示態様を変更すべき操作釦８１かを調べている。
【００９５】
まず、図１８のステップＳ０１０では、グループモードが有効状態（ＯＮ）か否かを調べる。グループモードが無効状態（ＯＦＦ）であれば（ステップＳ０１０；Ｎｏ）、図１９のステップＳ０１５に進む。
【００９６】
グループモードが有効状態（ＯＮ）であれば（ステップＳ０１０；Ｙｅｓ）、左フラグがオンの状態であるか否かを調べる（ステップＳ０１１）。左フラグがオフの状態であれば（ステップＳ０１１；Ｎｏ）、i+１の番号の操作釦８１と、該操作釦８１の左側の操作釦８１（iの番号の操作釦）が同じグループに属しているか否かを調べる（ステップＳ０１２）。双方の操作釦８１が同じグループに属している場合は（ステップＳ０１２；Ｙｅｓ）、図１９のステップＳ０１５に進む。双方の操作釦８１が同じグループに属していない場合は（ステップＳ０１２；Ｎｏ）、ステップＳ０１４に進む。
【００９７】
左フラグがオンの状態であれば（ステップＳ０１１；Ｙｅｓ）i+１の番号の操作釦８１と、該操作釦８１の右側の操作釦８１（i+２の番号の操作釦）が同じグループに属しているか否かを調べる（ステップＳ０１３）。双方の操作釦８１が同じグループに属している場合は（ステップＳ０１３；Ｙｅｓ）、図１９のステップＳ０１５に進む。双方の操作釦８１が同じグループに属していない場合は（ステップＳ０１３；Ｎｏ）、ステップＳ０１４に進む。
【００９８】
ステップＳ０１４では、表示態様変更フラグをオフにして図１９のステップＳ０１５に進む。図１９では、図１７のステップＳ００４で対象とした操作釦８１が第３の実施の形態の方法にて、釦識別情報の表示態様を変更すべき操作釦８１か否かを調べている。
【００９９】
まず、図１９のステップＳ０１５では、設定関連モードが有効状態（ＯＮ）か否かを調べる。設定関連モードが無効状態（ＯＦＦ）であれば（ステップＳ０１５；Ｎｏ）、ステップＳ０２０に進む。
【０１００】
設定関連モードが有効状態（ＯＮ）であれば（ステップＳ０１５；Ｙｅｓ）、設定済みの設定項目があるか否かを調べる（ステップＳ０１６）。設定済みの設定項目がなければ（ステップＳ０１６；Ｎｏ）、ステップＳ０２０に進む。
【０１０１】
設定済みの設定項目があれば（ステップＳ０１６；Ｙｅｓ）、該設定項目に関連する操作釦８１の情報を、ジョブ機能テーブル９０を参照して調べ（ステップＳ０１７）、i+１の番号の操作釦８１が該設定項目に関連する操作釦８１か否かを調べる（ステップＳ０１８）。
【０１０２】
設定済みの設定項目に関連しない操作釦８１であれば（ステップＳ０１８；Ｎｏ）、ステップＳ０２０に進む。設定済みの設定項目に関連する操作釦８１であれば（ステップＳ０１８；Ｙｅｓ）、表示態様変更フラグをオフにし（ステップＳ０１９）、ステップＳ０２０に進む。
【０１０３】
ステップＳ０２０では、表示態様変更フラグがオンか否かを調べ、オンであれば（ステップＳ０２０；Ｙｅｓ）、i+１の番号の操作釦８１について、釦識別情報の表示態様を、該操作釦８１内の表示部３１に表示されている範囲に収まるように表示態様を変更し（ステップＳ０２１）ステップＳ０２２に進む。表示態様変更フラグがオフであれば（ステップＳ０２０；Ｎｏ）ステップＳ０２２に進む。
【０１０４】
ステップＳ０２２では、iの値に１を加えるとともに図１７のステップＳ００３に戻って処理を継続する。ステップＳ００３に戻った際に特定の条件（i＜ＮＭＡＸ）が成立しない場合は、本処理を終了する。
【０１０５】
図１７〜図１９の処理は、スクロール操作によるスクロールの実行中に繰り返し行われる。また、該スクロールが完了した際にも図１７〜図１９の処理を行う。
【０１０６】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０７】
本発明の実施の形態では画像形成装置１０を操作表示装置の例として説明したが、操作表示装置はこれに限らない。画像形成装置１０から、ＣＰＵ１１と、ＲＯＭ１２と、ＲＡＭ１３と、不揮発メモリ１４と、ネットワーク通信部２０と操作パネル３０を抜き出して単体の操作表示装置として構成されてもよい。また、本発明は情報処理装置を該操作表示装置のように機能させるプログラムや、操作表示方法とされてもよい。
【０１０８】
本発明の実施の形態では、スクロール表示によって操作釦８１の釦識別情報が表示部３１の表示領域外にはみ出してしまう場合を例に説明したが、スクロール表示以外の原因で操作釦８１の釦識別情報が表示部３１の表示領域外にはみ出してしまう場合も本発明に含まれる。たとえば、画像形成装置１０が操作パネル３０に表示中の内容を拡大表示もしくは、縮小表示した場合にも、操作釦８１の一部が表示部３１の表示領域からはみ出してしまう場合がある。
【０１０９】
図２０は、表示部３１の表示内容を拡大表示した場合と縮小表示した場合の表示内容の例を示す。
【０１１０】
図２０（Ａ）は、通常のサイズで表示した場合の表示内容の例を、図２０（Ｂ）は図２０（Ａ）の表示内容を拡大表示した場合の例を、図２０（Ｃ）は図２０（Ａ）の表示内容を縮小表示した場合の例を示す。
【０１１１】
図２０（Ａ）では、操作釦８１Ａ、操作釦８１Ｂ、操作釦８１Ｃの３つの操作釦８１の全体が表示部３１の表示領域内に表示されている。各操作釦８１の釦識別情報（機能Ａ、機能Ｂ、機能Ｃ）は、全て第１の表示態様で表示されている。
【０１１２】
図２０（Ｂ）では、図２０（Ａ）の表示内容を拡大表示したことで、操作釦８１Ａと操作釦８１Ｃの一部が表示部３１の表示領域外にはみ出している。図２０（Ｂ）では、機能Ａと機能Ｃの釦識別情報を第１の表示態様で表示した場合は、その一部が表示部３１の表示領域外にはみ出してしまう。
【０１１３】
図２０（Ｃ）では、図２０（Ａ）の表示内容を縮小表示したことで、新たに操作釦８１Ｚと操作釦８１Ｄ（機能Ｚと機能Ｄの釦識別情報が記載されている）の操作釦８１が表示されている。しかし、操作釦８１Ｚと操作釦８１Ｄは一部が表示部３１の表示領域外にはみ出しており、機能Ｚと機能Ｄの釦識別情報を第１の表示態様で表示した場合は、その一部が表示部３１の表示領域外にはみ出してしまう。
【０１１４】
そこで、画像形成装置１０は、図２０（Ｂ）と図２０（Ｃ）のように、表示部３１に表示されている表示内容を拡大表示、もしくは縮小表示した際に、釦識別情報を第１の表示態様で表示したら、その一部が表示部３１の表示領域外にはみ出してしまう場合は、該釦識別情報の表示態様を、第１の表示態様と異なる表示態様（変更表示態様）に変更する。
【０１１５】
本発明の実施の形態では、変更表示態様は、釦識別情報全体が表示部３１の表示領域内に収まる表示態様であったが、釦識別情報の全体が該表示領域に表示されなくとも、該釦識別情報のうちの、ユーザが該釦識別情報の示す機能を認識可能となる一部分だけが該表示領域に表示される表示態様であってもよい。
【０１１６】
本発明の実施の形態では、一のグループは、隣接する複数の操作釦８１で構成されていたが、同じグループに属する他の操作釦８１と隣接しない操作釦８１を含んで構成されていてもよい。
【符号の説明】
【０１１７】
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
３０…操作パネル
３１…表示部
３２…操作部
３３…スイッチ部
３４…タッチパネル部
３５…記憶部
８０…帯画面
８１（Ａ、Ｂ、Ｃ、Ｄ、Ｅ、Ｆ、Ｇ、Ｈ、Ｉ、Ｊ、Ｋ、Ｌ、Ｍ、Ｎ、Ｐ、Ｑ、Ｒ、Ｓ、Ｚ）…操作釦
８２…表示範囲
９０…ジョブ機能テーブル
【図１】
2016126672.tif 000003
【図２】
2016126672.tif 000004
【図４】
2016126672.tif 000005
【図７】
2016126672.tif 000006
【図８】
2016126672.tif 000007
【図９】
2016126672.tif 000008
【図１０】
2016126672.tif 000009
【図１１】
2016126672.tif 000010
【図１２】
2016126672.tif 000011
【図１３】
2016126672.tif 000012
【図１４】
2016126672.tif 000013
【図１５】
2016126672.tif 000014
【図１６】
2016126672.tif 000015
【図１７】
2016126672.tif 000016
【図１８】
2016126672.tif 000017
【図１９】
2016126672.tif 000018
【図２０】
2016126672.tif 000019
【図３】
2016126672.tif 000020
【図５】
2016126672.tif 000021
【図６】
2016126672.tif 000022
【図２１】
2016126672.tif 000023